(57)【要約】【課題】  不定形用紙サイズ等を容易に登録可能にすることで、その用紙サイズ情報を基に内部演算し、原稿の中心と不定形サイズの用紙の中心の位置ズレ等の不具合を無くした孔版印刷装置等を含む印刷装置、画像形成装置を提供する。【解決手段】  用紙Ｐを給紙台部１０の給紙トレイ５０にセットし、給紙トレイ５０上の用紙Ｐを一対のサイドフェンス５１で位置決めしたときのサイドフェンス対５１の位置を用紙サイズとして登録可能とする用紙サイズ登録モードを有し、用紙サイズ登録の際に、位置検知基板５８により検知された用紙検知サイズに対しＲＡＭ８３をして前後に数データ分広く登録させるＣＰＵ８１を有する。【選択図】図１
2006160405.tif 000002
【特許請求の範囲】
【請求項１】
用紙を載置する給紙台と、
用紙搬送方向と直交する用紙幅方向に移動可能であり、前記給紙台上の用紙の少なくとも一側端を位置決めするための位置決め手段と、
前記位置決め手段に連動し該位置決め手段の前記用紙幅方向の位置を数ｍｍ以下の単位で検知する検知手段と、
用紙を前記給紙台にセットし、該給紙台上の用紙を前記位置決め手段で位置決めしたときの該位置決め手段の位置を用紙サイズとして登録可能とする用紙サイズ登録モードとを有し、
前記用紙サイズ登録の際に、前記検知手段により検知された用紙検知サイズに対し前後に数データ分広く登録可能としたことを特徴とする画像形成装置。
【請求項２】
定形用紙サイズまたは不定形用紙サイズに切り換えて前記用紙サイズ登録モードを行う用紙サイズ登録切換モードを有することを特徴とする請求項１記載の画像形成装置。
【請求項３】
用紙を載置する給紙台と、
用紙搬送方向と直交する用紙幅方向に移動可能であり、前記給紙台上の用紙の少なくとも一側端を位置決めするための位置決め手段と、
前記位置決め手段に連動し該位置決め手段の前記用紙幅方向の位置を数ｍｍ以下の単位で検知する検知手段と、
原稿を前記給紙台にセットし、該給紙台上の原稿を前記位置決め手段で位置決めしたときの該位置決め手段の位置を原稿サイズとして登録可能とする原稿サイズ登録モードとを有し、
前記原稿サイズ登録の際に、前記検知手段により検知された原稿検知サイズに対し前後に数データ分広く登録可能としたことを特徴とする画像形成装置。
【請求項４】
定形原稿サイズまたは不定形原稿サイズに切り換えて前記原稿サイズ登録モードを行う原稿サイズ登録切換モードを有することを特徴とする請求項３記載の画像形成装置。
【請求項５】
用紙を載置する給紙台と、
用紙搬送方向と直交する用紙幅方向に移動可能であり、前記給紙台上の用紙の少なくとも一側端を位置決めするための位置決め手段と、
前記位置決め手段に連動し該位置決め手段の前記用紙幅方向の位置を数ｍｍ以下の単位で検知する検知手段と、
用紙を前記給紙台にセットし、該給紙台上の用紙を前記位置決め手段で位置決めしたときの該位置決め手段の位置を用紙サイズとして登録可能とする用紙サイズ登録モードと、
原稿を前記給紙台にセットし、該給紙台上の原稿を前記位置決め手段で位置決めしたときの該位置決め手段の位置を原稿サイズとして登録可能とする原稿サイズ登録モードと、
前記用紙サイズ登録モードまたは前記原稿サイズ登録モードに切り換える登録モード切換モードとを有し、
前記用紙サイズ登録または前記原稿サイズ登録の際に、前記検知手段により検知された用紙検知サイズまたは原稿検知サイズに対し前後に数データ分広く登録可能としたことを特徴とする画像形成装置。
【請求項６】
定形用紙サイズまたは不定形用紙サイズに切り換えて前記用紙サイズ登録モードを行う用紙サイズ登録切換モードを有することを特徴とする請求項５記載の画像形成装置。
【請求項７】
定形原稿サイズまたは不定形原稿サイズに切り換えて前記原稿サイズ登録モードを行う原稿サイズ登録切換モードを有することを特徴とする請求項５記載の画像形成装置。
【請求項８】
前記用紙サイズまたは前記原稿サイズの登録は、操作パネル上より名称を任意に設定可能としたことを特徴とする請求項１ないし７の何れか一つに記載の画像形成装置。
【請求項９】
前記用紙サイズまたは前記原稿サイズの登録は、画像読取手段上にセットされた原稿を読み込むことにより、画像イメージ、または文字情報として名称設定可能としたことを特徴とする請求項１ないし８の何れか一つに記載の画像形成装置。
【請求項１０】
請求項１ないし９の何れか一つに記載の画像形成装置は、版胴上に巻装されたマスタを用いて印刷を行うことを特徴とする印刷装置。
【発明の詳細な説明】
【技術分野】
【０００１】
本発明は、印刷装置、複写装置、プリンタ等の画像形成装置に関し、取り分け不定形サイズの用紙を使用することのある孔版印刷装置等を含む印刷装置に関する。
【背景技術】
【０００２】
特開平５−３４１６０４号公報には、手差し給紙台に用紙規制ガイド（用紙サイドフェンス）と連動する幅検知ボリュームを有した用紙サイズ検知機構を有する複写装置が開示されている。
また、特開２０００−１０３５３６号公報には、不定形の原稿に対し、不定形のサイズを操作パネル上で使用者が入力することで不定形の原稿サイズを認識させる複写装置が開示されている。
一方、多孔性の支持円筒体等からなる版胴と、例えば熱可塑性樹脂フィルムに多孔性支持体を貼り合わせたラミネート構造のマスタとを用い、マスタの熱可塑性樹脂フィルムをサーマルヘッドで加熱溶融穿孔・製版した後に版胴に巻装し、版胴内部に設けられたインキ供給手段で版胴の内周面に適量のインキを供給して、プレスローラや圧胴等の押圧手段で印刷用紙を版胴に押圧することにより、版胴の開孔部、マスタの穿孔部より滲出したインキを印刷用紙に転移させて印刷を行う感熱デジタル式の孔版印刷装置が知られている。
このような孔版印刷装置では、版としてマスタを用いて高速で大量の印刷が可能であることから、１枚当たりの印刷コストが安く、取り分け印刷に使用される用紙サイズや用紙の種類も多いものとなっている（例えば、特許文献３および４参照）。
【０００３】
【特許文献１】特開平５−３４１６０４号公報
【特許文献２】特開２０００−１０３５３６号公報
【特許文献３】特開平８−２５８９９９号公報
【特許文献４】特開２０００−２４７４６７号公報
【発明の開示】
【発明が解決しようとする課題】
【０００４】
しかしながら、特開平５−３４１６０４号公報記載の技術では、幅検知ボリュームで検知した値をメモリに予め記憶させた定形の用紙サイズ群と照らし合わせて定形の用紙サイズを検知しているに過ぎず、予め記憶され設定されている以外の不定形の用紙サイズを検知することができないという問題点を有している。不定形用紙サイズが正確に検知できないと、原稿サイズとの比較が不正確になり、画像の中心位置ズレや、画像のはみ出し、画像が部分カットされる等の不具合が発生する。
【０００５】
また、特開２０００−１０３５３６号公報記載の技術では、不定形サイズを操作パネルより入力可能であるものの、使用者が不定形原稿の正確なサイズをスケール等の測定具を用いて測定した後、さらに操作パネル上より測定サイズを入力するという行為が必要であり、測定具を用意しなければならないばかりでなく、サイズの測定ミスが発生する可能性も有り、作業が非常に面倒になってしまうという問題点を有している。
【０００６】
したがって、本発明は、上述した事情に鑑みてなされてものであって、前記問題点を解決して不定形用紙サイズを容易に登録可能にすることで、その用紙サイズ情報を基に内部演算し、原稿の中心と不定形サイズの用紙の中心の位置ズレ等の不具合を無くした画像形成装置、および取り分け不定形サイズの用紙を使用することが多い孔版印刷装置等を含む印刷装置に顕著な効果を奏する印刷装置を提供することを第１の目的としている。
【０００７】
また、本発明は、前記問題点を解決して不定形原稿サイズを容易に登録可能にすることで、後述する効果を得られる画像形成装置および印刷装置を提供することを第２の目的としている。
【０００８】
また、本発明は、前記問題点を解決して、不定形用紙サイズおよび不定形原稿サイズを容易に登録可能にすることで、後述する効果を得られる画像形成装置および印刷装置を提供することを第３の目的としている。その他、請求項記載の発明特定事項（以下、「構成」という）により、後述する効果を得られる画像形成装置および印刷装置を提供することも目的としている。
【課題を解決するための手段】
【０００９】
本発明は、上述した課題を解決して前記目的を達成するために、請求項毎の発明においては以下の構成を採用していることを特徴とするものである。
請求項１記載の発明は、用紙を載置する給紙台と、用紙搬送方向と直交する用紙幅方向に移動可能であり、前記給紙台上の用紙の少なくとも一側端を位置決めするための位置決め手段と、前記位置決め手段に連動し該位置決め手段の前記用紙幅方向の位置を数ｍｍ以下の単位で検知する検知手段と、用紙を前記給紙台にセットし、該給紙台上の用紙を前記位置決め手段で位置決めしたときの該位置決め手段の位置を用紙サイズとして登録可能とする用紙サイズ登録モードとを有し、前記用紙サイズ登録の際に、前記検知手段により検知された用紙検知サイズに対し前後に数データ分広く登録可能としたことを特徴とする画像形成装置である。
【００１０】
ここで、「用紙を前記給紙台にセットし、該給紙台上の用紙を前記位置決め手段で位置決めしたときの該位置決め手段の位置を用紙サイズとして登録可能とする用紙サイズ登録モードとを有し、前記用紙サイズ登録の際に、前記検知手段により検知された用紙検知サイズに対し前後に数データ分広く登録可能とした」という発明特定事項（以下、「構成」という）は、次の構成と実質的に同一である。すなわち、「…用紙サイズ登録モードを設定する用紙サイズ登録モード設定手段と、前記検知手段により検知された用紙検知サイズに対し前後に数データ分広く登録するための用紙検知サイズ範囲設定手段と、前記用紙サイズ登録モード設定手段および前記用紙検知サイズ範囲設定手段からの信号に基づいて、用紙サイズ登録モードに係る動作を実行させる際、前記検知手段により検知された用紙検知サイズに対し前後に数データ分広く登録させる第１の制御手段とを有することを特徴とする画像形成装置である。
【００１１】
請求項２記載の発明は、請求項１記載の画像形成装置において、定形用紙サイズまたは不定形用紙サイズに切り換えて前記用紙サイズ登録モードを行う用紙サイズ登録切換モードを有することを特徴とする。
ここで、請求項２記載の発明は、次の構成と実質的に同一である。すなわち、請求項２記載の発明は、請求項１記載の画像形成装置において、定形用紙サイズまたは不定形用紙サイズに切り換えて用紙サイズ登録モードを行う用紙サイズ登録切換モードを設定する用紙サイズ登録切換モード設定手段と、該用紙サイズ登録切換モード設定手段からの信号に基づいて、用紙サイズ登録切換モードに係る動作を実行させる第２の制御手段を有することを特徴とする画像形成装置である。
【００１２】
請求項３記載の発明は、用紙を載置する給紙台と、用紙搬送方向と直交する用紙幅方向に移動可能であり、前記給紙台上の用紙の少なくとも一側端を位置決めするための位置決め手段と、前記位置決め手段に連動し該位置決め手段の前記用紙幅方向の位置を数ｍｍ以下の単位で検知する検知手段と、原稿を前記給紙台にセットし、該給紙台上の原稿を前記位置決め手段で位置決めしたときの該位置決め手段の位置を原稿サイズとして登録可能とする原稿サイズ登録モードとを有し、前記原稿サイズ登録の際に、前記検知手段により検知された原稿検知サイズに対し前後に数データ分広く登録可能としたことを特徴とする画像形成装置である。
【００１３】
ここで、「原稿を前記給紙台にセットし、該給紙台上の原稿を前記位置決め手段で位置決めしたときの該位置決め手段の位置を原稿サイズとして登録可能とする原稿サイズ登録モードとを有し、前記原稿サイズ登録の際に、前記検知手段により検知された原稿検知サイズに対し前後に数データ分広く登録可能とした」という構成は、次の構成と実質的に同一である。
すなわち、「…原稿サイズ登録モードを設定する原稿サイズ登録モード設定手段と、前記検知手段により検知された原稿検知サイズに対し前後に数データ分広く登録するための原稿検知サイズ範囲設定手段と、前記原稿サイズ登録モード設定手段および前記原稿検知サイズ範囲設定手段からの信号に基づいて、原稿サイズ登録モードに係る動作を実行させる際、前記検知手段により検知された原稿検知サイズに対し前後に数データ分広く登録させる第３の制御手段とを有することを特徴とする画像形成装置である。
【００１４】
請求項４記載の発明は、請求項３記載の画像形成装置において、定形原稿サイズまたは不定形原稿サイズに切り換えて前記原稿サイズ登録モードを行う原稿サイズ登録切換モードを有することを特徴とする。
ここで、請求項４記載の発明は、次の構成と実質的に同一である。すなわち、請求項４記載の発明は、請求項３記載の画像形成装置において、定形原稿サイズまたは不定形原稿サイズに切り換えて原稿サイズ登録モードを行う原稿サイズ登録切換モードを設定する原稿サイズ登録切換モード設定手段と、該原稿サイズ登録切換モード設定手段からの信号に基づいて、前記原稿サイズ登録切換モードに係る動作を実行させる第４の制御手段を有することを特徴とする画像形成装置である。
【００１５】
請求項５記載の発明は、用紙を載置する給紙台と、用紙搬送方向と直交する用紙幅方向に移動可能であり、前記給紙台上の用紙の少なくとも一側端を位置決めするための位置決め手段と、前記位置決め手段に連動し該位置決め手段の前記用紙幅方向の位置を数ｍｍ以下の単位で検知する検知手段と、用紙を前記給紙台にセットし、該給紙台上の用紙を前記位置決め手段で位置決めしたときの該位置決め手段の位置を用紙サイズとして登録可能とする用紙サイズ登録モードと、原稿を前記給紙台にセットし、該給紙台上の原稿を前記位置決め手段で位置決めしたときの該位置決め手段の位置を原稿サイズとして登録可能とする原稿サイズ登録モードと、前記用紙サイズ登録モードまたは前記原稿サイズ登録モードに切り換える登録モード切換モードとを有し、前記用紙サイズ登録または前記原稿サイズ登録の際に、前記検知手段により検知された用紙検知サイズまたは原稿検知サイズに対し前後に数データ分広く登録可能としたことを特徴とする画像形成装置である。
【００１６】
ここで、「用紙を前記給紙台にセットし、該給紙台上の用紙を前記位置決め手段で位置決めしたときの該位置決め手段の位置を用紙サイズとして登録可能とする用紙サイズ登録モードと、原稿を前記給紙台にセットし、該給紙台上の原稿を前記位置決め手段で位置決めしたときの該位置決め手段の位置を原稿サイズとして登録可能とする原稿サイズ登録モードと、前記用紙サイズ登録モードまたは前記原稿サイズ登録モードに切り換える登録モード切換モードとを有し、前記用紙サイズ登録または前記原稿サイズ登録の際に、前記検知手段により検知された用紙検知サイズまたは原稿検知サイズに対し前後に数データ分広く登録可能とした」という構成は、次の構成と実質的に同一である。
すなわち、「…用紙サイズ登録モードを設定する用紙サイズ登録モード設定手段と、前記検知手段により検知された用紙検知サイズに対し前後に数データ分広く登録するための用紙検知サイズ範囲設定手段と、原稿サイズ登録モードを設定する原稿サイズ登録モード設定手段と、前記検知手段により検知された原稿検知サイズに対し前後に数データ分広く登録するための原稿検知サイズ範囲設定手段と、前記用紙サイズ登録モードまたは前記原稿サイズ登録モードに切り換える登録モード切換手段とを有し、前記登録モード切換手段ならびに前記用紙サイズ登録モード設定手段および前記用紙検知サイズ範囲設定手段、または前記原稿サイズ登録モード設定手段および前記原稿検知サイズ範囲設定手段からの信号に基づいて、前記用紙サイズ登録モードまたは前記原稿サイズ登録モードに係る動作を実行させる際、前記検知手段により検知された用紙検知サイズまたは原稿検知サイズに対し前後に数データ分広く登録させる第５の制御手段とを有することを特徴とする画像形成装置である。
【００１７】
請求項６記載の発明は、請求項５記載の画像形成装置において、定形用紙サイズまたは不定形用紙サイズに切り換えて前記用紙サイズ登録モードを行う用紙サイズ登録切換モードを有することを特徴とする。
ここで、請求項６記載の発明は、次の構成と実質的に同一である。すなわち、請求項６記載の発明は、請求項５記載の画像形成装置において、定形用紙サイズまたは不定形用紙サイズに切り換えて用紙サイズ登録モードを行う用紙サイズ登録切換モードを設定する用紙サイズ登録切換モード設定手段と、該用紙サイズ登録切換モード設定手段からの信号に基づいて、用紙サイズ登録切換モードに係る動作を実行させる第６の制御手段を有することを特徴とする画像形成装置である。
【００１８】
請求項７記載の発明は、請求項５記載の画像形成装置において、定形原稿サイズまたは不定形原稿サイズに切り換えて前記原稿サイズ登録モードを行う原稿サイズ登録切換モードを有することを特徴とする。
ここで、請求項７記載の発明は、次の構成と実質的に同一である。すなわち、請求項７記載の発明は、請求項５記載の画像形成装置において、定形原稿サイズまたは不定形原稿サイズに切り換えて原稿サイズ登録モードを行う原稿サイズ登録切換モードを設定する原稿サイズ登録切換モード設定手段と、該原稿サイズ登録切換モード設定手段からの信号に基づいて、前記原稿サイズ登録切換モードに係る動作を実行させる第７の制御手段を有することを特徴とする画像形成装置である。
【００１９】
請求項８記載の発明は、請求項１ないし７の何れか一つに記載の画像形成装置において、前記用紙サイズまたは前記原稿サイズの登録は、操作パネル上より名称を任意に設定可能としたことを特徴とする。
【００２０】
請求項９記載の発明は、請求項１ないし８の何れか一つに記載の画像形成装置において、前記用紙サイズまたは前記原稿サイズの登録は、画像読取手段上にセットされた原稿を読み込むことにより、画像イメージ、または文字情報として名称設定可能としたことを特徴とする。
【００２１】
請求項１０記載の発明は、請求項１ないし９の何れか一つに記載の画像形成装置は、版胴上に巻装されたマスタを用いて印刷を行うことを特徴とする印刷装置である。
【発明の効果】
【００２２】
本発明によれば、各請求項毎の特有の構成を有しているので上述した従来の問題点を解決して新規な画像形成装置および印刷装置を提供することができる。主な効果を挙げれば以下のとおりである。
本発明によれば、不定形サイズの用紙の用紙サイズ検知不良による用紙からの画像はみ出し、この画像はみ出しによる画像再転写汚れ、画像の部分カット、画像中心位置のズレ等の不具合を解消できる（請求項１）。
本発明によれば、前記効果に加え、用紙サイズ登録切換モードを有することにより、用紙サイズ登録時の誤検知を少なくできる（請求項２）。
【００２３】
本発明によれば、不定形サイズの原稿の原稿サイズ検知不良による用紙からの画像はみ出し、この画像はみ出しによる画像再転写汚れ、画像の部分カット、画像中心位置のズレ等の不具合を解消できる（請求項３）。
本発明によれば、前記効果に加え、原稿サイズ登録切換モードを有することにより、原稿サイズ登録時の誤検知を少なくできる（請求項４）。
【００２４】
本発明によれば、不定形サイズの用紙の用紙サイズ検知不良による用紙からの画像はみ出し、この画像はみ出しによる画像再転写汚れ、画像の部分カット、画像中心位置のズレ等の不具合と、不定形サイズの原稿の原稿サイズ検知不良による用紙からの画像はみ出し、この画像はみ出しによる画像再転写汚れ、画像の部分カット、画像中心位置のズレ等の不具合とを解消できる（請求項５）。
本発明によれば、前記効果に加え、用紙サイズ登録切換モードを有することにより、用紙サイズ登録時の誤検知を少なくできる（請求項６）。
本発明によれば、前記効果に加え、原稿サイズ登録切換モードを有することにより、原稿サイズ登録時の誤検知を少なくできる（請求項７）。
【００２５】
本発明によれば、用紙サイズまたは原稿サイズの登録は、操作パネル上より名称を任意に設定可能としたので、前記各効果に加え、操作性が向上し、呼び出しミスの低減が図れる（請求項８）。
【００２６】
本発明によれば、用紙サイズまたは原稿サイズの登録は、画像読取手段上にセットされた原稿を読み込むことにより、画像イメージまたは文字情報として名称設定可能としたので、前記各効果に加え、用紙サイズまたは原稿サイズの登録サイズ名称の設定を容易に行えるばかりでなく、その登録サイズを呼び出して原稿や用紙サイズに適用する場合、呼び出し時の名称を判別し易いしイメージまたは文字等で表示することができるので、さらに操作性が向上し、さらに呼び出しミスの低減が図れる（請求項９）。
【００２７】
本発明によれば、版胴上に巻装されたマスタを用いて印刷を行う印刷装置、特に使用される用紙サイズの種類が多い孔版印刷装置等に適用した場合、前記各効果が顕著となる（請求項１０）。
【発明を実施するための最良の形態】
【００２８】
以下、図を参照して実施例を含む本発明の実施の形態（以下、「実施形態」という）を説明する。実施形態等に亘り、同一の機能および形状等を有する構成要素（部材や構成部品）等については、一度説明した後では同一符号を付すことによりその説明を省略する。図において一対で構成されていて特別に区別して説明する必要がない構成要素は、説明の簡明化を図る上から、その片方を適宜記載することでその説明に代えるものとする。図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００２９】
（第１の実施形態）
図１ないし図１６に、本発明の第１の実施形態を示す。
まず、図１を参照して、本発明に係る印刷装置の一例としての孔版印刷装置１の全体構成を説明する。同図に示すように、孔版印刷装置１は、画像読取部２、製版部３、排版部４、給紙部５、画像形成部としての印刷部６および排紙部７から主に構成されている。同図において、符号１Ａは、孔版印刷装置１の骨組みである本体フレームおよび本体側板等を有する装置本体を示す。
【００３０】
画像読取部２は、コンタクトガラス７４上の定位置に載置された図示しない原稿または原稿載置台７２上に載置された１枚もしくは複数枚の原稿７３を画像読取手段としてのスキャナ部７６のコンタクトガラス７４上の所定の読取位置へ順次自動移送するＡＤＦ（自動原稿送り装置）部７１等を備えている。ＡＤＦ部７１は、原稿載置台７２および原稿排紙台７５を備え、コンタクトガラス７４に対して開閉可能に配設されている。スキャナ部７６は、原稿７３の表面から結像レンズを介して結像された反射光に対応して光電変換を行う画像センサ７７およびスキャナモータ（図示せず）等を備えた周知の原稿走査用光学系を有する。画像センサ７７は、得られた画像信号を装置本体１Ａ内の図示しないアナログ／デジタル（以下「Ａ／Ｄ」と略記する）変換部でデジタル画像信号に変換され、前記Ａ／Ｄ変換部から図示しない画像エリアメモリを備えた画像処理装置を経由して製版制御部（図示せず）に入力されるようになっている。
なお、画像処理装置に送信されるデジタル画像信号としては、孔版印刷装置１と通信可能に接続されて構成された図示しないネットワーク上からＰＣ（パーソナルコンピュータ）コントローラ経由で図７に示す制御装置８０に入力する場合もある。
【００３１】
画像読取部２には、コンタクトガラス７４の下方近傍に配設されコンタクトガラス７４上に載置された図示しない原稿の原稿サイズを検知する原稿サイズ検知手段としての複数の原稿サイズ検知センサ７８と、原稿載置台７２上に載置された１枚もしくは複数枚の原稿７３の原稿サイズを検知する原稿サイズ検知手段としての複数の原稿サイズ検知センサ７９とが配設されている。
原稿サイズ検知手段としては、それぞれ原稿搬送方向に沿う原稿の長さサイズを検知する前記複数の原稿サイズ検知センサ７８，７９の他に、原稿搬送方向と直交する原稿幅方向に沿う原稿の幅サイズを検知する原稿サイズ検知センサ（図示せず）をそれぞれ備えている周知のものである。原稿サイズ検知センサ７８，７９および前記原稿サイズ検知センサ（図示せず）は、例えば透過型の光学センサや反射型の光学センサを適宜備えている。
【００３２】
製版部３は、読み取られた画像情報を版としてのマスタＭに書き込み、マスタＭを印刷部６に備えられた版胴とも呼ばれる印刷ドラム８まで搬送し、印刷ドラム８の外周面にマスタＭを巻き付ける部分である。排版部４は、印刷終了後に不要になった印刷ドラム８上のマスタＭを剥がし、排版されたマスタＭをストックしておく部分である。製版部３および排版部４の基本的な構成は、例えば特開平７−２４１９７４号公報の図１に示されているものと同様であるため、その説明を省略する。
【００３３】
給紙部５は、給紙台部１０の給紙トレイ５０（図２および図３参照）上に載置・セットされた印刷用紙Ｐ（以下、「用紙Ｐ」という）を１枚ずつに分離し、印刷部６まで搬送する部分である。給紙台部１０は、給紙トレイ５０上に用紙Ｐが積載され、装置本体１Ａに対して上下動自在に支持されており、用紙Ｐの増減（用紙上限検知）と連動して図示しない駆動源を備えた周知の昇降機構により上下動される。給紙手段としての給紙コロ１１ａと分離給紙手段としての分離コロ１１ｂとは、最上位の用紙Ｐと当接するように設けられており、各コロ１１ａ，１１ｂは図示しない駆動手段、例えば、メインモータからの駆動力を電磁クラッチまたはカムを介して断続制御されたり、ステッピングモータ等で独立駆動されたり、または印刷ドラム８と同期して回転するカムを介して駆動されたりすることにより回転駆動される。
【００３４】
ここで、プーリおよび無端ベルト（共に図示せず）等の駆動力伝達手段を介して前記駆動手段に連結された分離コロ駆動軸２７が、分離コロ駆動軸２７と給紙コロ軸２８とに固設され図示を省略した各プーリ間に掛け渡された無端ベルト２６を介して給紙コロ軸２８に連結されている。これにより、前記駆動手段による回転駆動を介して分離コロ駆動軸２７が回転されることにより、給紙コロ軸２８が回転することとなり、分離コロ駆動軸２７と分離コロ１１ｂとの間、給紙コロ軸２８と給紙コロ１１ａとの間にそれぞれ図示しないワンウェイクラッチを介装された分離コロ１１ｂと給紙コロ１１ａとが同時に回転する機構になっている。なお、前記駆動力伝達手段は、上述したようなプーリおよび無端ベルト（共に図示せず）や各プーリ間に掛け渡された無端ベルト２６によるものに限らず、ギヤ列等でもよいことは言うまでもない。
【００３５】
給紙コロ軸２８は、給紙アーム２９に回転可能に支持されており、さらに給紙アーム２９は、分離コロ駆動軸２７を支点として所定の角度範囲内で回動可能、すなわち装置本体１Ａ側に揺動可能に設けられており、給紙アーム２９と共に給紙コロ１１ａが揺動・変位可能な構成になっている。給紙コロ１１ａは、前記変位機構を介して、図１に示すように給紙台部１０上の用紙Ｐに当接し給紙可能となる給紙位置と、この給紙位置から下降した下降位置との間で変位可能に構成されている。
【００３６】
ここで、用紙Ｐの上限検知であるが、用紙Ｐの先端部分の高さを図１に実線で示す給紙フィラー３８を用いて検知する第１の用紙上限検知機構、または給紙コロ１１ａの高さを給紙アーム２９を用いて検知する図１に二点鎖線で示す第１の用紙上限検知機構の何れか一方の検知機構で構成されるのが一般的である。
第１の用紙上限検知機構は、その下端部に給紙台部１０上の用紙Ｐに当接して転動可能な用紙当接コロ３９と上端部に形成された遮光部とを有し、装置本体１Ａに固着された図示しない不動ブラケットにその湾曲部を中心に揺動自在に設けられた給紙フィラー３８と、装置本体１Ａに固着されたセンサブラケット４０に固着され給紙フィラー３８の前記遮光部と選択的に係合可能な透過型のフォトセンサ４１とから主に構成されている。給紙フィラー３８は、前記不動ブラケットに設けられた支点軸（図示せず）を介して、用紙当接コロ３９と前記遮光部とが揺動可能に取り付けられている。給紙フィラー３８は、給紙台部１０上の用紙Ｐに当接して給紙コロ１１ａが給紙位置を占めたことを知らせる給紙検知位置と、この給紙検知位置から下降した非給紙検知位置との間で変位可能となっている。
【００３７】
第２の用紙上限検知機構は、その下端部が給紙アーム２９の図において右側上面に固着され上端部に遮光部と形成されたアーム遮光板３０と、前記センサブラケット４０に固着されアーム遮光板３０の前記遮光部と選択的に係合可能な透過型のフォトセンサ４２とから主に構成されている。
第１および第２の用紙上限検知機構は、あくまでも一例であり、例えば反射型のフォトセンサ等を用いた他の方法でもよい。
分離コロ１１ｂの下方近傍には、分離コロ１１ｂとの協働作用により給紙コロ１１ａに従って送り出されてきた用紙Ｐを１枚ずつに分離する分離手段としての分離パッド１２がホルダに支持されている。分離パッド１２は、該ホルダ内に装着された圧縮ばね１８に従って分離コロ１１ｂに圧接する向きに付勢されている。なお、給紙手段や分離給紙手段としては、上述したものに限らず、給紙コロと分離パッドとの組み合わせ、あるいは一対の分離ローラからなるものも含まれる。
【００３８】
分離コロ１１ｂの用紙搬送方向Ｘの下流側には、レジストローラ対１３が配設されている。レジストローラ対１３は、搬送されてきた用紙Ｐの先端を一度ニップ部に当接させてその用紙Ｐの先端部に所定の撓みを形成した後、タイミングをとって印刷ドラム８の外周面と後述するプレスローラ９との間に搬送する。上ガイド板１４および下ガイド板１５は装置本体１Ａに固着された給紙側板に固定されており、搬送される用紙Ｐをガイドする。また、レジストローラ対１３の手前には、用紙先端検知センサ２０が配置されている。この用紙先端検知センサ２０により、給送された用紙Ｐの先端位置を検知し、その後の送り量を制御することで、レジストローラ対１３部での用紙の撓み量が一定になるように制御している。
【００３９】
印刷部６は、製版済みのマスタ（図示せず）を外周面に巻装する印刷ドラム８と、インキ供給部材としてのインキローラ、このインキローラと微小な間隙をもって該インキローラと平行に配置されたドクターローラ等を具備する印刷ドラム８の内部に配設されたインキ供給手段と、印刷ドラム８に対して接離自在に構成された押圧手段としてのプレスローラ９等とから主に構成されている。印刷部６では、搬送されてきた用紙Ｐをプレスローラ９により印刷ドラム８に押圧することで、印刷ドラム８上に巻装された製版済みのマスタ（図示せず）の製版画像をインキを滲出させることで用紙Ｐに転移・転写する。
【００４０】
排紙部７は、印刷された用紙Ｐを印刷ドラム８より剥がす図示しない剥離爪と、排紙台１７へ搬送・排出するための吸着搬送部１６と、印刷された用紙をストックするための前記排紙台１７とから主に構成されている。ここで、吸着搬送部１６は、各ローラ間に掛け渡された多孔性の無端ベルト３０、何れか一方のローラを回転駆動する図示しない駆動源および印刷された用紙を無端ベルト３０に吸引するためのファン３１とで構成されている。無端ベルト３０における用紙搬送面の下方近傍には、印刷された用紙を検知するための用紙排紙検知センサ２１が配置されている。通常、給紙部５の用紙先端検知センサ２０や排紙部７の用紙排紙検知センサ２１は、反射型や透過型のフォトセンサまたはフィラー型等のセンサが用いられている。
孔版印刷装置１の基本的な動作は、上述した説明から当業者であれば容易に実施可能であり、例えば特開平７−２４１９７４号公報に記載されている孔版印刷装置全体の基本的な動作と同様であるため、その説明を省略する。
【００４１】
図２ないし図７を参照して、第１の実施形態について装置構成概要を説明する。
図２に示すように、給紙台部１０は、用紙を載置する給紙台としての給紙トレイ５０と、用紙搬送方向Ｘと直交する用紙幅方向Ｙに移動可能であり、給紙トレイ５０上の用紙の両側端を位置決め・揃えるための位置決め手段としての左右一対のサイドフェンス５１と、これらサイドフェンス対５１を用紙幅方向Ｙに案内するための左右一対のサイドフェンス用スライド溝５２とから主に構成されている。
一般的には、給紙台部にはサイドフェンス位置固定用のロックレバー機構や、給紙トレイを操作側より見て前後に移動させるための機構等を有しているが、今回は本発明と関係がないためその図示を省略する。
【００４２】
図３は、給紙台部１０に配設されているサイドフェンス対５１を用紙幅方向Ｙに移動・案内するためのサイドフェンス移動機構および用紙サイズ検知機構を示している。各サイドフェンス５１は、各スライド溝５２をスライド可能なように給紙トレイ５０の中央部を挟んで、給紙トレイ５０の裏面側において互いに対向配置された右ラック５４および左ラック５３とそれぞれねじで締結固定されている。各ラック５３，５４は、ピニオン５５とそれぞれ噛み合っており、右ラック５４と左ラック５３とはピニオン５５を中心として連動して移動する構成となっている。ピニオン５５は、給紙トレイ５０の用紙幅方向Ｙにおける裏面側中央部に、各サイドフェンス５１の移動時に適度の負荷を与えるべくスプリング５６（圧縮ばね）および平座金５７を介して段付ねじ６０で回動可能に支持・固定されている。
左ラック５３の下方には、サイドフェンス位置検知用の位置検知基板５８が給紙トレイ５０の裏面壁に固定されている。
【００４３】
図４に示すように、左ラック５３には、接触子５９が固定されている。ここで、通常、左ラック５３は樹脂等の電気絶縁材（不導体）で、接触子５９はステンレススチール等の導電材で形成されており、左ラック５３と接触子５９とは電気的に絶縁状態になっている。但し、左ラック５３と接触子５９とが電気的に絶縁状態になっていれば、前記構成の限りではない。接触子５９は、下部先端部分がほぼ熊手状に複数に分岐して折れ曲がっており、図５に示すように、位置検知基板５８に形成された図示しない検知パターンに接触する構造となっている。位置検知基板５８は、その表面に接触子５９の数に相当する複数の検知パターン（図示せず）が形成されており、接触子５９の分岐した先端部分がその検知パターンに接触することで導通し、信号がオンとなる。このような検知パターンは、複数あるため、その組み合わせで左ラック５３を介して、サイドフェンス対５１の用紙幅方向Ｙの絶対位置が判る構造となっている。前記検知パターンのアース部分には、接触子５９が常に接触している状態にある。
【００４４】
以上のような構成であるので、サイドフェンス５１の用紙幅方向Ｙの絶対位置が判別可能となっている。検知精度としては、接触子５９の分岐数により異なるが、例えば分岐数が７（本）の場合は、１つをアースに、他の６つを検知に使用した場合、２の６乗＝６４通りの検知が可能であり、サイドフェンス５１の用紙幅方向Ｙの絶対位置を数ｍｍ以下の単位での検知が可能となる。
前記のとおり、サイドフェンス対５１の用紙幅方向Ｙの移動に連動し各サイドフェンス５１の用紙幅方向Ｙの絶対位置を数ｍｍ以下の単位で検知する検知手段は、左ラック５３に設けられた接触子５９および位置検知基板５８で構成されている。この検知手段によるサイドフェンス対５１の位置検知方式によれば、例えば透過型や反射型のフォトセンサを多数配置したりする方式と比べて、比較的構成が簡単であるため安価に済むという利点を有する。
【００４５】
ここで、サイドフェンス対５１の位置検知方法であるが、前記利点を望まなくてもよいのであれば前記構成に限らず、例えば複数の透過型のフォトセンサを配置し、その部分を遮蔽板が通過することで位置検知を行なう等、その他多数の手段があることは言うまでもない。
【００４６】
図６を参照して、孔版印刷装置１の前記各部・装置に所望の動作を行うように指示を与えると共に、前記各部・装置の状態を知るための操作パネル１００の構成について、説明する。
同図において、操作パネル１００は、図１に示した装置本体１Ａの上部前面に配置されている。操作パネル１００の上面には、製版スタートキー１０４、プリントスタートキー１０５、試し刷りキー１０６、連続キー１０７、クリア／ストップキー１０８、テンキー１０９、エンターキー１１０、プログラムキー１１１、モードクリアキー１１２、プリント速度設定キー１１３、４方向キー１１４、戻るキー１１５、オーケーキー１１６、モード選択キー１１７、等倍キー１１８、変倍キー１１９、原稿種類キー１２０、置数表示部１２１、ディスプレイ部１２２、警告表示部１２３、プリント位置キー１２４等を有している。
【００４７】
製版スタートキー１０４は孔版印刷装置１に製版動作を行わせる際に押下され、製版スタートキー１０４が押下されると排版動作および原稿読取動作が行われた後、または一部並行して製版動作が行われ、その後または一部並行して、版付け動作が行われて両面印刷装置１は印刷待機状態となる。プリントスタートキー１０５は孔版印刷装置１に印刷動作を行わせる際に押下され、孔版印刷装置１が印刷待機状態となり各種印刷条件が設定された後にプリントスタートキー１０５が押下されることにより印刷動作が行われる。試し刷りキー１０６は孔版印刷装置１に試し刷りを行わせる際に押下され、各種条件が設定された後に試し刷りキー１０６が押下されることにより１枚だけ印刷が行われる。
【００４８】
連続キー１０７は、該キーを押す毎に連続／単独が切り替わる。連続キー１０７は製版動作と印刷動作とを連続して行う際に製版スタートキー１０４の押下前に押下され、連続キー１０７の押下後、印刷条件が入力された後に製版スタートキー１０４が押下されると、排版動作、原稿読取動作、製版動作に引き続いて印刷動作までの一連の動作が連続的に行われる。クリア／ストップキー１０８は、本実施形態に特有の機能を発揮する場合を含む孔版印刷装置１の動作を停止させる際あるいは置数のクリア時に使用される。
【００４９】
テンキー１０９は印刷枚数等の置数入力に使用される。また、テンキー１０９は、本実施形態に特有の名称入力時にも後述のように使用される。エンターキー１１０は各種設定時に数値等を設定する際に、プログラムキー１１１はユーザ専用の条件として、例えば印刷速度、印刷位置、倍率、原稿種類などを設定する場合に使用され、それらを登録したりそれらを呼び出したりする際にそれぞれ押下されるものである。モードクリアキー１１２は各種のモードをクリアして初期状態に戻す際に使用される。プリント速度設定キー１１３は印刷動作に先立って印刷速度を設定する際に押下され、濃いめの画像を得たい場合あるいは雰囲気温度が低い場合等には印刷速度を遅く（図中の←キー）、薄めの画像を得たい場合あるいは雰囲気温度が高い場合等には印刷速度を速く（図中の→キー）設定する。４方向キー１１４は上キー１１４ａ、下キー１１４ｂ、左キー１１４ｃ、右キー１１４ｄを有しており、ディスプレイ部１２２に表示された内容の選択や、画像編集時に画像位置を調整する場合、あるいは本実施形態に特有の機能を発揮する場合を含む各種設定時に数値や項目等を選択する場合等に使用される。
戻るキー１１５は、モードを１つ前の状態に戻す場合に使用される。オーケーキー１１６は、本実施形態に特有の機能を発揮する場合を含む選択内容を確定する場合に使用される。
【００５０】
モード選択キー１１７は、本実施形態に特有の機能を発揮する場合を含む用紙サイズや原稿のサイズの登録等、各種のモード選択時に使用される。等倍キー１１８は、画像読取部２のスキャナでの読み込みを等倍に設定する際に使用される。変倍キー１１９は、画像読取部２のスキャナでの読み込み倍率を調整する際に使用される。原稿種類キー１２０は、原稿の種類（文字／文字・写真／写真等）を選択する際に使用される。プリント位置キー１２４は、用紙搬送方向の画像位置調整を行ったり、本実施形態に特有の名称入力時にも後述のように使用される。
置数表示部１２１は、７セグメントのＬＥＤ（発光ダイオード）からなり、主に印刷枚数等の数字表示がなされる。
【００５１】
ディスプレイ部１２２は、ＬＣＤ（液晶表示装置）からなり、孔版印刷装置１の設定状態や稼動状態が表示される他、本実施形態に特有の用紙サイズ登録モードあるいは原稿サイズ登録モードでは後述のような各種表示がされる。
警告表示部１２３は、ＬＣＤからなり、サプライとしての用紙、インキやマスタの無し警告表示、ユーザが対向して操作する孔版印刷装置１の前面に開閉自在に設けられている前ドアー（図示せず）のオープン警告表示、あるいは給紙や排紙時における用紙のジャムやマスタのジャム表示を行う表示部である。
【００５２】
図７を参照して、孔版印刷装置１に用いられる制御構成を説明する。
同図において、制御手段としての制御装置８０は、内部にＣＰＵ８１、ＲＯＭ８２、バックアップされたＲＡＭ８３（以下、単に「ＲＡＭ８３」という）、図示しないタイマ、Ｉ／Ｏ（入出力ポート）８４等を有するマイクロコンピュータを具備して構成されている。前記ＲＡＭ８３は、フラッシュメモリ等の不揮発性メモリでもよい
【００５３】
ＣＰＵ８１は、操作パネル１００の各種キーからの各種信号および給紙部５の給紙台部１０に設けられた位置検知基板５８、装置本体１Ａの各種センサからの検知信号およびＲＯＭ８２から呼び出された動作プログラムに基づいて、画像読取部２、製版部３、排版部４、給紙部５、印刷部６、排紙部７に設けられた各駆動手段（モータやソレノイド等のアクチュエータ）の作動等を制御し、孔版印刷装置１全体の動作を制御する。ＲＯＭ８２には、孔版印刷装置１全体の動作プログラムおよび関係データが記憶されており、この動作プログラムはＣＰＵ８１に従って適宜呼び出される。ＲＡＭ８３は、ＣＰＵ８１の計算結果を一時的に記憶する機能、位置検知基板５８からのデータ信号、操作パネル１００上の各種キーおよび各種センサから設定および入力されたデータ信号およびオン・オフ信号を随時記憶する機能等を有している。なお、制御装置８０のＣＰＵ８１、ＲＯＭ８２、ＲＡＭ８３に、後述する本実施形態に特有の動作を行う機能だけを付与しても構わない。
【００５４】
本実施形態では、ＣＰＵ８１は、用紙サイズ登録モードを設定する用紙サイズ登録モード設定手段（例えばモード選択キー１１７、４方向キー１１４、オーケーキー１１６、ディスプレイ部１２２）、位置検知基板５８により検知された検知サイズに対し前後に数データ分広く登録するための用紙検知サイズ範囲設定手段（例えばテンキー１０９、モード選択キー１１７、４方向キー１１４、オーケーキー１１６、ディスプレイ部１２２）、原稿サイズ登録モードを設定する原稿サイズ登録モード設定手段（例えばモード選択キー１１７、４方向キー１１４、オーケーキー１１６、ディスプレイ部１２２）、位置検知基板５８により検知された検知サイズに対し前後に数データ分広く登録するための原稿検知サイズ範囲設定手段（例えばテンキー１０９、モード選択キー１１７、４方向キー１１４、オーケーキー１１６、ディスプレイ部１２２）および用紙サイズ登録モードまたは原稿サイズ登録モードに切り換える登録モード切換手段（例えば４方向キー１１４、オーケーキー１１６、ディスプレイ部１２２）からの信号に基づいて、用紙サイズ登録モードまたは原稿サイズ登録モードに係る動作を実行させる際、位置検知基板５８により検知された用紙検知サイズまたは原稿検知サイズに対し、ＲＡＭ８３をして前後に数データ分広く登録させる第５の制御手段としての機能を有する。
【００５５】
用紙検知サイズ範囲設定手段や原稿検知サイズ範囲設定手段は、上記した各種キーとディスプレイ部１２２との組み合わせにより設定する手段に限らず、例えばデフォルト値として予め設定された初期値を変更する必要がないような場合には、記憶手段、すなわちＲＯＭやバックアップされたＲＡＭがその機能を担うことになる。
【００５６】
ＣＰＵ８１は、定形用紙サイズまたは不定形用紙サイズに切り換えて用紙サイズ登録モードを行う用紙サイズ登録切換モードを設定する用紙サイズ登録切換モード設定手段（例えばテンキー１０９、４方向キー１１４、オーケーキー１１６、ディスプレイ部１２２）からの信号に基づいて、用紙サイズ登録切換モードに係る動作を実行させる第６の制御手段としての機能を有する。
ＣＰＵ８１は、定形原稿サイズまたは不定形原稿サイズに切り換えて原稿サイズ登録モードを行う原稿サイズ登録切換モードを設定する原稿サイズ登録切換モード設定手段（例えばテンキー１０９、４方向キー１１４、オーケーキー１１６、ディスプレイ部１２２）からの信号に基づいて、原稿サイズ登録切換モードに係る動作を実行させる第７の制御手段としての機能を有する。
【００５７】
また、ＣＰＵ８１は、用紙サイズまたは原稿サイズの登録名称を設定するために、サイズ登録名称設定手段（例えばテンキー１０９、プリント速度設定キー１１３、プリント位置キー１２４、４方向キー１１４、オーケーキー１１６、クリア／ストップキー１０８、ディスプレイ部１２２）からの信号に基づいて、サイズ登録名称モードに係る動作を実行させる制御手段としての機能を有する。
また、ＣＰＵ８１は、用紙サイズまたは原稿サイズの登録は、画像読取手段上にセットされた原稿を読み込むことにより、画像イメージ、または文字情報として名称設定可能とする制御手段としての機能を有する。
ＣＰＵ８１は、前記各キーで生成された信号に基づいて、図８ないし図１６に示すディスプレイ部１２２の画面表示を切り替えるように図示しないＬＣＤ駆動回路を制御する機能も有している。
【００５８】
用紙サイズ登録モード設定手段、用紙検知サイズ範囲設定手段、原稿サイズ登録モード設定手段、用紙検知サイズ範囲設定手段、登録モード切換手段、用紙サイズ登録切換モード設定手段、原稿サイズ登録切換モード設定手段、サイズ登録名称設定手段としては、前記したキーの組み合わせとディスプレイ部１２２とで構成したが、これはあくまでも一例であり、例えば単独のキーとして用紙サイズ登録キー、用紙検知サイズ範囲設定キー、原稿サイズ登録キー、用紙検知サイズ範囲設定キー、登録モード切換キー、用紙サイズ登録切換キー、原稿サイズ登録切換キー、複数のサイズ登録名称設定キー等を適宜設けることで構成してもよい。
【００５９】
次に、本実施形態の特徴的な動作について説明する。
（動作例１）
この動作例１は、定形用紙サイズまたは不定形用紙サイズの用紙Ｐの登録、名称設定に係る例である。不定形用紙サイズとしては、例えば、熨斗（のし）紙であるとする。
【００６０】
操作としては、先ず、図８に示すように操作パネル１００（図６参照）のディスプレイ部１２２に表示されている通常表示の初期画面からスタートする。ユーザは操作パネル１００上より用紙サイズ登録モードを選択する。具体的には、図８に示したディスプレイ部１２２の初期画面の表示状態において、操作パネル１００のモード選択キー１１７を押すと、図９に示すようなディスプレイ部１２２の表示内容に切り替わるので、ここでは「１．新規サイズ登録」を上キー１１４ａ、下キー１１４ｂで白黒反転・選択し、その後オーケーキー１１６を押すことにより確定する。この操作により、ディスプレイ部１２２の表示内容が図１０に示す画面表示に切り替わる。ディスプレイ部１２２では、白黒反転・選択した際の黒表示を梨地模様で示している（以下のディスプレイ部１２２の表示でも同様）。
【００６１】
図１０に示すディスプレイ部１２２の画面表示において、「１．用紙サイズ登録」を上キー１１４ａ、下キー１１４ｂで白黒反転・選択し、その後オーケーキー１１６で確定する。図１０において、「１．用紙サイズ登録」が確定すると、図１１に示すような名称入力方法選択表示画面に切り替わる。ここでは、不定形サイズの用紙や定形サイズの用紙の名称入力方法選択としてキー入力による方法を採るので、上キー１１４ａ、下キー１１４ｂで白黒反転・選択し、その後オーケーキー１１６で「１．名称入力方法選択（キー入力）」を確定する。この後、図１２に示すディスプレイ部１２２の画面表示に切り替わる。図１２において、キー入力により選択する。具体的には、テンキー１０９、プリント速度設定キー１１３、プリント位置キー１２４、左キー１１４ｃ、右キー１１４ｄ、オーケーキー１１６、クリア／ストップキー１０８等で入力・設定する。
【００６２】
図１２に示すディスプレイ部１２２には、テンキー１０９の割り付けが表示される。プリント位置キー１２４は、入力モードを漢字（ひらがな／カタカナ）／アルファベット／数字に切り換える場合に使用する。ちなみに、漢字モード時は「２」を押すと、「かきくけこ」の順で変化し、アルファベットモード時は「ＡＢＣ」の順で変化し、数字モード時は「２」となる。
プリント速度設定キー１１３は、漢字モードで入力されたひらがなを漢字に変換する場合に使用する。例えば、漢字モードで「の」を入力し、右キー１１４ｄで右にカーソルを移動させて「し」を入力した状態でプリント速度設定キー１１３の→キー（速度アップキー）を押すと、「熨斗」に変換される。変換内容を選択するのは、プリント速度設定キー１１３の←キー（速度ダウンキー）や→キーで行う。そして、変換結果が、「熨斗」でオーケーであれば、右キー１１４ｄで右にカーソルを移動させる。前述のようなキー操作手順を繰り返して名称を入力し、最終的にオーケーキー１１６で確定する（名称入力確定時）と、図１３に示すディスプレイ部１２２の画面表示に切り替わる。
【００６３】
名称入力方法としては、前記携帯電話等と同様の入力方法に限らず、例えば操作パネルが大型のタッチパネルであれば、テンキーの他にアルファベット等のキーを配置して表示し、入力することも可能である（後述する原稿の名称入力方法でも同様である）。
【００６４】
図１３において、定形用紙サイズまたは不定形用紙サイズに切り換えて用紙サイズ登録モードを行う用紙サイズ登録切換モードに係る選択を実行する（図１３に示すディスプレイ部１２２では「定形／不定形選択」と記載されている）と同時に、用紙検知サイズ範囲設定モード（図１３に示すディスプレイ部１２２では「検知範囲設定」と記載されている）に入る。以下、「用紙検知サイズ範囲」のことを、単に「検知範囲」というときがある。
ここで、左キー１１４ｃ、右キー１１４ｄで例えば「定形」を白黒反転し選択すると、ディスプレイ部１２２における検知範囲設定の部分が定形／不定形選択の選択・設定操作と連動してカーソルが点滅するように構成されているので、ユーザは変更が必要と判断すればテンキー１０９で数値を入力・設定し、オーケーキー１１６で確定する。
【００６５】
検知範囲設定の部分には、初期設定値（デフォルト値）として、定形用紙サイズ選択の場合は「±３ｍｍ」が、不定形用紙サイズ選択の場合は「±１ｍｍ」が表示されるようになっている。このように、本実施形態では、後述するように位置検知基板５８によって検知される用紙検知サイズに対し数データ分広く登録されるように制御されており、定形用紙サイズを選択した場合は、検知範囲が不定形用紙サイズを選択した場合よりも広く設定される。例えば、給紙台部１０の位置検知基板５８で検知したサイズを中心として上述のような設定となるが、適正範囲は給紙台部１０の分解能で左右されるため、図１３に示した検知範囲設定のデフォルト値は、あくまでも一例であり、これに限定されることはない（後述の原稿サイズ登録モードに係る動作例２でも同様）。
【００６６】
見方を変えて述べると、定形用紙サイズ選択の場合は、他の各定形用紙サイズが相当の間隔をもって決められているため、サイズ誤検知の要因としてサイドフェンス対５１による用紙Ｐの両側端面への突き当てセット不完全等が大きな要因として挙げられるが、これを防止する目的で用紙検知サイズ範囲を広く設定している。一方、不定形用紙サイズ選択の場合は、他の不定形用紙サイズとの間隔が相当の間隔で無い場合もあり、用紙検知サイズ範囲（用紙検知サイズ幅）を広げることはむしろサイズ誤検知を招く虞があるため、これを防止する目的で用紙検知サイズ範囲を狭く設定している（後述の原稿サイズ登録モードに係る動作例２でも同様）。
【００６７】
また、前記検知範囲設定を、一度設定した後でも後述のように任意に変更可能とするモードを追加しておくことも可能である。その後は動作例１で説明したと同様の操作となり、以上のようなモードを備えることにより、サイズ登録時の誤検知を少なくできるという利点がある
【００６８】
図１３において、定形用紙サイズまたは不定形用紙サイズを選択し、同時に用紙検知サイズ範囲の設定を行った確定時には、図１４に示すディスプレイ部１２２の画面表示に切り替わる。ディスプレイ部１２２の図において画面の上部には、ユーザが行うべき操作内容の指示として、「登録する用紙を給紙台に載せ、サイドフェンスをセットして下さい。」が表示されるので、ユーザはその通りの操作を行う。
すなわち、ユーザは登録したい不定形用紙サイズ（定形外サイズ）の用紙Ｐ（例えば前記した「熨斗紙」）を給紙トレイ５０にセットし、各サイドフェンス５１を用紙Ｐの両側端面に軽く突き当てセットすることとなる。用紙Ｐをセットし終えたならば、ディスプレイ部１２２の図１４において画面の下部に表示されている「登録しますか？」において、左キー１１４ｃ、右キー１１４ｄで「はい」を白黒反転・選択した後、オーケーキー１１６で確定する。次いで、図１４に示すディスプレイ部１２２の画面表示にて用紙サイズの登録確定後、図１５に示すディスプレイ部１２２の画面表示に切り替わる。
【００６９】
図１５に示すように、画面の上部には「登録が完了しました。」が表示されると共に、画面の下部には「新規登録を続けますか？」の表示がなされ、継続の可否を聞いてくるので、新規登録が無い場合には左キー１１４ｃ、右キー１１４ｄで「いいえ」を白黒反転・選択した後、オーケーキー１１６で確定する。この後、ディスプレイ部１２２の画面表示は図８に示した初期画面に戻ることとなり、動作例１が終了する。
【００７０】
図１４において、「登録しますか？」→「はい」を選択・確定した際、例えば図１３において「不定形」用紙サイズを選択した場合には、その用紙Ｐの用紙幅サイズが位置検知基板５８によって検知され、そのデータ信号を受信したＣＰＵ８１の指令に従って、位置検知基板５８によって検知された用紙検知サイズに対し図１３に示した検知範囲設定値のとおり前後に数データ（ｍｍ）分広く加工された上で、ＲＡＭ８３に登録されることになる。従って、一度用紙Ｐの用紙幅サイズが登録されれば、たとえ孔版印刷装置１の主電源スイッチをオフしてもＲＡＭ８３に記憶・登録された用紙幅サイズデータは消去されずその登録状態が維持されることとなるので、今度は給紙トレイ５０に登録済みの印刷すべき用紙Ｐをセットしただけで、その用紙幅サイズが適用されることになる。また、一度用紙幅サイズが登録されれば、その用紙幅サイズデータをＲＡＭ８３から呼び出して使用することも可能である。
【００７１】
登録される用紙幅サイズであるが、位置検知基板５８のデータだけであると用紙Ｐの検知幅サイズが狭く誤検知の虞があるため、前述のように、用紙サイズ登録時に用紙検知サイズ範囲（検知範囲）の変更値を選択または入力することにより操作パネル１００上より検知幅サイズを広く変更可能となっている。例えば、標準値としては前後１〜２ｍｍサイズ程度検知幅を広く設定しておくことも可能である（但し、前後１〜２ｍｍサイズに限定されるものではない）。また、登録された用紙幅サイズデータは、操作パネル１００の各種キーの組み合わせで抹消することも可能である。
【００７２】
次に、用紙サイズ登録時に用紙検知サイズ範囲の変更値を選択または入力する操作例を説明する。上述した用紙検知サイズ範囲をもって一度登録した用紙サイズデータを変更したい場合には、図９に示すディスプレイ部１２２の画面表示において、「２．用紙サイズ検知変更」を上キー１１４ａ、下キー１１４ｂで白黒反転・選択し、その後オーケーキー１１６で確定する。この操作により、ディスプレイ部１２２の表示内容が図１０に示す画面表示に切り替わるので、図１０に示すディスプレイ部１２２の画面表示において、「１．用紙サイズ登録」を上述したと同様のキー操作で選択・確定し、さらに図１１に示す名称入力方法選択表示画面において、必要に応じて上述したと同様のキー操作で名称入力・確定を行う。
【００７３】
図１３に示す画面表示において、例えば孔版印刷装置１で使用される定形用紙サイズの用紙ＰがＡ３およびハガキの２種類だけであり、加えてユーザが常に多忙であってサイドフェンス対５１による用紙Ｐの位置決めセットが粗雑になるような条件の場合には、上述したと同様のキー操作で「定形」を白黒反転・選択した後、ディスプレイ部１２２における検知範囲設定の部分が点滅するので、テンキー１０９で数値をデフォルト値±３ｍｍから±ｍｍ５へ変更すればよい。以下、動作例１と同様の操作が行われ、定形用紙サイズの用紙Ｐの用紙幅サイズが位置検知基板５８によって検知され、そのデータ信号を受信したＣＰＵ８１の指令に従って、ＲＡＭ８３に登録されることとなる。
【００７４】
前記課題の欄でも一部説明したように、通常、これまでの不定形用紙サイズの登録の場合は、事前にＲＯＭに登録された定形データ（誤検知防止のためある程度検知範囲は広く取られている）と照らし合わせ、その範囲に入っていなければ不定形として認識するが、不定形の場合は、定形サイズと異なり検知幅を広くしておくことができないため、各サイドフェンス５１のセットの仕方で微妙にサイズ検知状態が変化してしまう。
【００７５】
このような状態だと同じサイズの用紙でもセットする度に用紙サイズ検知状態が変わり、画像はみ出しを防止するための製版領域の指定がうまくいかず、用紙Ｐから画像がはみ出して機械内部のプレスローラ９を汚し、その汚れが再度用紙Ｐに転写してしまったり画像の部分カット（必要な画像領域の一部までカット）という不具合発生があった。さらに、原稿読み込みが端面基準、用紙搬送が中央基準の場合、原稿サイズと用紙サイズとにより画像中心を算出しているので、用紙セットの度に用紙サイズ検知結果がズレ、画像中心位置が微妙にズレてしまうという不具合も有していた。
【００７６】
本実施形態の動作例１によれば、上述の構成により上述の動作が可能であるので、不定形サイズの用紙の用紙サイズ検知不良による用紙からの画像はみ出し、この画像はみ出しによる画像再転写汚れ、画像の部分カット、画像中心位置のズレ等の不具合を解消できる利点がある。また、用紙サイズ登録切換モードを有することにより、用紙サイズ登録時の誤検知を少なくできるという利点がある。
【００７７】
（動作例２）
この動作例２は、動作例１における定形用紙サイズまたは不定形用紙サイズの用紙Ｐの登録、名称設定に係る例に代えて、定形原稿サイズまたは不定形原稿サイズの原稿７３の登録、名称設定に係る例であることが主に相違する。
動作例２の操作は、動作例１の操作と比較して、動作例１において説明した図９ないし図１５までの操作パネル１００におけるディスプレイ部１２２の画面表示の「用紙」に係る表示を選択・設定する各種キー操作に代えて、「原稿」に係る表示を選択・設定する点が主に相違する。以下、相違点を中心に動作例２の操作および動作を簡明に説明する。
【００７８】
動作例１と同様に、動作例２は図８に示すディスプレイ部１２２の初期画面からスタートする。ユーザは操作パネル１００上より原稿サイズ登録モードを選択する。具体的には、図８のディスプレイ部１２２の表示状態において、モード選択キー１１７を押すと、図９に示すディスプレイ部１２２の表示内容に切り替わるので、ここでは「１．新規サイズ登録」を動作例１と同様のキー操作で選択・確定する。この操作により、ディスプレイ部１２２の表示内容が図１０に示す画面表示に切り替わるので、「２．原稿サイズ登録」を上キー１１４ａ、下キー１１４ｂで白黒反転・選択した後、オーケーキー１１６で確定する。
【００７９】
次いで、図１１に示す名称入力方法選択表示画面に切り替わる。ここでは、不定形サイズの原稿や定形サイズの原稿の名称入力方法選択としてキー入力による方法を採るので、動作例１と同様のキー操作で「１．名称入力方法選択（キー入力）」を確定した後、動作例１と同様のキー操作で適宜、漢字等で名称を入力・設定する。名称入力確定時、図１３に示すディスプレイ部１２２の画面表示に切り替わるので、定形原稿サイズまたは不定形原稿サイズに切り換えて原稿サイズ登録モードを行う原稿サイズ登録切換モードに係る選択を実行すると同時に、原稿検知サイズ範囲設定モードに入る。
【００８０】
ここで、左キー１１４ｃ、右キー１１４ｄで例えば「定形」を白黒反転し選択すると、ディスプレイ部１２２における検知範囲設定の部分が定形／不定形選択の選択・設定操作と連動してカーソルが点滅するので、ユーザは変更が必要と判断すればテンキー１０９で数値を入力・設定し、オーケーキー１１６で確定する。検知範囲設定の部分には、初期設定値（デフォルト値）として、定形原稿サイズ選択の場合は「±３ｍｍ」が、不定形原稿サイズ選択の場合は「±１ｍｍ」が表示されるようになっている。このように、本実施形態では、後述するように位置検知基板５８によって検知される原稿検知サイズに対し数データ分広く登録されるように制御されており、定形原稿サイズを選択した場合は、検知範囲が不定形原稿サイズを選択した場合よりも広く設定される。この理由は、動作例１で説明したと同様であるため、その説明を省略する。
【００８１】
図１３において、定形原稿サイズまたは不定形原稿サイズを選択し、同時に原稿検知サイズ範囲の設定を行った確定時には、図１４に示すディスプレイ部１２２の画面表示に切り替わる。ディスプレイ部１２２の図において画面の上部には、ユーザが行うべき操作内容の指示として、「登録する原稿を給紙台に載せ、サイドフェンスをセットして下さい。」が表示されるので、ユーザはその通りの操作を行う。
すなわち、ユーザは登録したい不定形原稿サイズ（定形外サイズ）の原稿７３を給紙トレイ５０にセットし、各サイドフェンス５１を原稿７３の両側端面に軽く突き当てセットすることとなる。原稿７３をセットし終えたならば、ディスプレイ部１２２の図１４において画面の下部に表示されている「登録しますか？」において、動作例１と同様のキー操作により選択・確定する。次いで、図１４に示すディスプレイ部１２２の画面表示にて原稿サイズの登録確定後、図１５に示すディスプレイ部１２２の画面表示に切り替わる。
【００８２】
図１５に示すように、画面の上部には「登録が完了しました。」が表示されると共に、画面の下部には「新規登録を続けますか？」の表示がなされ、継続の可否を聞いてくるので、新規登録が無い場合には動作例１と同様のキー操作により選択・確定する。この後、ディスプレイ部１２２の画面表示は図８に示した初期画面に戻ることとなり、動作例２が終了する。
【００８３】
登録した原稿サイズを有効にするためには、図９の画面表示において「３．原稿サイズ検知変更」モードに入り、原稿幅のサイズ検知を自動から手動への切り替えを行い、登録された原稿サイズ一覧（図示せず）の中から選択を行う必要がある。また、原稿サイズ登録時に原稿検知サイズ範囲の変更値を選択または入力する操作例は、動作例１の内容から容易に実施できるので、その説明を省略する。
【００８４】
図１４において、「登録しますか？」→「はい」を選択・確定した際、例えば図１３において「不定形」原稿サイズを選択した場合には、その原稿の原稿幅サイズが位置検知基板５８によって検知され、そのデータ信号を受信したＣＰＵ８１の指令に従って、位置検知基板５８によって検知された原稿検知サイズに対し図１３に示した検知範囲設定値のとおり前後に数データ（ｍｍ）分広く加工された上で、ＲＡＭ８３に登録されることになる。従って、一度原稿７３の原稿幅サイズが登録されれば、たとえ孔版印刷装置１の主電源スイッチをオフしてもＲＡＭ８３に記憶・登録された原稿幅サイズデータは消去されずその登録状態が維持されることとなる。この状態で、スキャナ部７６のコンタクトガラス７４またはＡＤＦ部７１の原稿載置台７２に原稿７３をセットし製版動作を開始させれば、通常の原稿サイズ検知、すなわち前記原稿サイズ検知手段による原稿検知は行なわずにその原稿幅サイズ（データ）が適用されることになる。また、一度原稿幅サイズが登録されれば、その原稿幅サイズデータをＲＡＭ８３から呼び出して使用することも可能である。
【００８５】
登録される原稿幅サイズは、動作例１と同様の理由から原稿サイズ登録時に原稿検知サイズ範囲（検知範囲）の変更値を選択または入力することにより操作パネル１００上より検知幅サイズを広く変更可能となっている。例えば、標準値としては前後１〜２ｍｍサイズ程度検知幅を広く設定しておくことも可能である（但し、前後１〜２ｍｍサイズに限定されるものではない）。また、登録された原稿幅サイズデータは、操作パネル１００の各種キーの組み合わせで抹消することも可能である。
【００８６】
前記課題の欄でも一部説明したように、通常、これまでの不定形原稿サイズの登録の場合は、スキャナやＡＤＦに原稿サイズ検知センサがあり、事前にＲＯＭに登録された定形データと照らし合わせ、その範囲内の何れかを認識するようになっているが、前記原稿サイズ検知センサは精度が悪い場合が多く、不定形サイズであってもその範囲内の何れかを認識するようになっているために、原稿の不定形サイズを認識することは困難である場合が多かった。また、不定形サイズをある程度認識できる場合でも不定形の場合は定形サイズの場合と異なり、検知幅サイズを広くしておくことができないため、原稿サイズの読取り毎に微妙にサイズ検知状態が変化してしまう。
【００８７】
従って、このような状態だと同じサイズの原稿でもセットする度にサイズ検知状態が変わり、画像はみ出しを防止するための製版領域の指定がうまくいかず、用紙Ｐから画像がはみ出して機械内部のプレスローラ９を汚し、その汚れが再度用紙Ｐに転写してしまったり、画像が部分カット（必要な画像領域の一部までカット）されたりするという不具合発生があった。さらに、原稿読み込みが端面基準、用紙撮送が中央基準の場合、原稿サイズと用紙サイズにより画像中心を算出しているので、原稿セットの度に原稿サイズ検知結果がズレ、画像中心位置が微妙にズレてしまうと言う不具合も有していた。
【００８８】
本実施形態の動作例２によれば、上述の構成により上述の動作が可能であるので、不定形サイズの原稿の原稿サイズ検知不良による用紙からの画像はみ出し、この画像はみ出しによる画像再転写汚れ、画像の部分カット、画像中心位置のズレ等の不具含を解消できる利点がある。また、原稿サイズ登録切換モードを有することにより、原稿サイズ登録時の誤検知を少なくできるという利点がある。
本実施形態の動作例１および２に共通する利点を挙げると以下のとおりである。上述したとおり、用紙サイズ登録モードまたは原稿サイズ登録モードに切り換える登録モード切換モードに係る制御構成を備えていて、該登録モード切換モードに係る動作が可能であることにより、用紙サイズ登録と原稿サイズ登録との切り換えがスムーズになるという利点がある。
また、用紙サイズまたは原稿サイズの登録は、操作パネル１００上より名称を任意に入力・設定可能としたので、以上のモードを備えることにより、登録サイズを呼び出して原稿や用紙サイズに適用する場合、呼び出し時の名称を判別し易い名称に設定することができるので、操作性が向上し、呼び出しミスの低減が図れるという利点がある。
（動作例３）
図１６に動作例３を示す。
動作例３は、動作例１または動作例２に加えて、用紙サイズまたは原稿サイズの登録は、スキャナ部７６のコンタクトガラス７４にセットされた原稿を読み込むことにより、画像イメージまたは文字情報として名称設定可能とした動作例である。
【００８９】
動作例１または動作例２の図１１に示す名称入力方法選択表示画面において、不定形サイズの用紙または原稿や、定形サイズの用紙または原稿の名称入力方法選択としてキー入力に代えて、スキャナ読取りよる方法を採るので、上キー１１４ａ、下キー１１４ｂで「２．名称入力方法選択（スキャナ読取り）」を白黒反転・選択し、その後オーケーキー１１６で確定する。この後、図１２ないし図１５までのディスプレイ部１２２の画面表示がなされることなく、直ぐに図１６に示すディスプレイ部１２２画面表示に切り替わる。図１６の画面上部には、「登録する原稿をスキャナにセットして下さい。」が表示されるので、ユーザはその通りの操作を行う。
【００９０】
ここで、原稿に記載される登録したい名称例としては、例えば用紙幅サイズとして１５０ｍｍのものであれば「１５０」、あるいは用途として熨斗紙用として使用するのであれば「熨斗」等が挙げられる。原稿に記載される登録したいデザイン例としては、例えばデザインで認識できるように熨斗紙用であれば「水引き」の図柄・絵等が挙げられる。ユーザはコンタクトガラス７４の所定の読取位置またはＡＤＦ部７１の原稿載置台７２に、前記例のような登録したい名称やデザインが記載された原稿をセットし、製版スタートキー１０４を押すと、コンタクトガラス７４にセットされた場合はスキャナ部７６の作動により、原稿載置台７２にセットされた原稿の場合はＡＤＦ部７１の作動により自動搬送されてコンタクトガラス７４の所定の読取位置においてスキャナ部７６の作動によって、登録したい名称やデザインが記載された原稿がイメージ画像または文字情報として読み込まれる。この時、図１６のディスプレイ部１２２の画面下部に「登録しますか？」が点滅表示されるので、左キー１１４ｃ、右キー１１４ｄで「はい」を白黒反転・選択し、オーケーキー１１６で確定する。
読み込まれたイメージ画像または文字情報はＲＡＭ８３に一時記憶・保存され、用紙や原稿の登録サイズ呼出し時に、ディスプレイ部１２２の一部に縮小されて表示される。その後、操作の流れは名称設定が終了しているので図１３以降と同じとなる。
【００９１】
以上のようなモードを備えることにより、本実施形態の動作例３によれば、登録サイズ名称入力が容易に行えるばかりでなく、登録サイズを呼び出して原稿や用紙サイズに適用する場合、呼び出し時の名称を判別し易いイメージ等で表示することができるので、さらに操作性が向上し、呼び出しミスの低減が図れるという利点がある。
【００９２】
（第２の実施形態）
第２の実施形態は、第１の実施形態と比較して、原稿サイズ登録モードおよび原稿サイズ登録切換モード等の「原稿サイズ、原稿」等に係る制御構成を除去した点および図９ないし図１５における画面表示から「原稿サイズ、原稿」に係る表示内容を削除した点が主に相違する。
【００９３】
第２の実施形態の制御構成は、第１の実施形態のそれと比較して、制御装置８０に代えて、図７に示すようにＣＰＵ８１Ａ，ＲＯＭ８２Ａ，バックアップされたＲＡＭ８３Ａ（以下、単に「ＲＡＭ８３Ａ」という）等を備えたマイクロコンピュータを具備した制御装置８０Ａを有する点が主に相違する。
ＣＰＵ８１Ａは、用紙サイズ登録モードを設定する第１の実施形態と同様の各種キーとディスプレイ部１２２（但し、「原稿サイズ、原稿」に係る表示内容を削除した表示画面となる。以下、第２の実施形態において同様）との組み合わせからなる用紙サイズ登録モード設定手段および位置検知基板５８により検知された検知サイズに対し前後に数データ分広く登録するための第１の実施形態と同様の各種キーとディスプレイ部１２２との組み合わせからなる用紙検知サイズ範囲設定手段からの信号に基づいて、用紙サイズ登録モードに係る動作を実行させる際、ＲＡＭ８３Ａをして位置検知基板５８により検知された用紙検知サイズに対し前後に数データ分広く登録させる第１の制御手段としての機能を有する。
【００９４】
ＣＰＵ８１は、定形原稿サイズまたは不定形原稿サイズに切り換えて用紙サイズ登録モードを行う用紙サイズ登録切換モードを設定する第１の実施形態と同様の各種キーとディスプレイ部１２２との組み合わせからなる用紙サイズ登録切換モード設定手段からの信号に基づいて、用紙サイズ登録切換モードに係る動作を実行させる第２の制御手段としての機能を有する。
【００９５】
また、ＣＰＵ８１Ａは、用紙サイズの登録名称を設定するために、第１の実施形態と同様の各種キーとディスプレイ部１２２との組み合わせからなるサイズ登録名称設定手段からの信号に基づいて、サイズ登録名称モードに係る動作を実行させる制御手段としての機能を有する。
また、ＣＰＵ８１Ａは、用紙サイズの登録は、画像読取手段上にセットされた原稿を読み込むことにより、画像イメージ、または文字情報として名称設定可能とする制御手段としての機能を有する。
ＣＰＵ８１Ａは、前記各キーで生成された信号に基づいて、図８ないし図１６に示すディスプレイ部１２２の画面表示を切り替えるように図示しないＬＣＤ駆動回路を制御する機能も有している。
【００９６】
第２の実施形態における操作パネル１００の操作例および動作は、第１の実施形態のそれから容易に実施できるので、重複説明を避けるためこれ以上の説明を省略する。第２の実施形態によれば、第１の実施形態における利点から「原稿サイズ、原稿」に係る利点を除いた利点がある。
【００９７】
（第３の実施形態）
第３の実施形態は、第１の実施形態と比較して、用紙サイズ登録モードおよび用紙サイズ登録切換モード等の「用紙サイズ、用紙」等に係る制御構成を除去した点および図９ないし図１５における画面表示から「用紙サイズ、用紙」に係る表示内容を削除した点が主に相違する。
【００９８】
第３の実施形態の制御構成は、第１の実施形態のそれと比較して、制御装置８０に代えて、図７に示すようにＣＰＵ８１Ｂ，ＲＯＭ８２Ｂ，バックアップされたＲＡＭ８３Ｂ（以下、単に「ＲＡＭ８３Ｂ」という）等を備えたマイクロコンピュータを具備した制御装置８０Ｂを有する点が主に相違する。
【００９９】
ＣＰＵ８１Ｂは、原稿サイズ登録モードを設定する第１の実施形態と同様の各種キーとディスプレイ部１２２（但し、「用紙サイズ、用紙」に係る表示内容を削除した表示画面となる。以下、第３の実施形態において同様）との組み合わせからなる原稿サイズ登録モード設定手段および位置検知基板５８により検知された検知サイズに対し前後に数データ分広く登録するための第１の実施形態と同様の各種キーとディスプレイ部１２２との組み合わせからなる原稿検知サイズ範囲設定手段からの信号に基づいて、原稿サイズ登録モードに係る動作を実行させる際、ＲＡＭ８３Ｂをして位置検知基板５８により検知された原稿検知サイズに対し前後に数データ分広く登録させる第３の制御手段としての機能を有する。
【０１００】
ＣＰＵ８１Ｂは、定形原稿サイズまたは不定形原稿サイズに切り換えて原稿サイズ登録モードを行う原稿サイズ登録切換モードを設定する第１の実施形態と同様の各種キーとディスプレイ部１２２との組み合わせからなる原稿サイズ登録切換モード設定手段からの信号に基づいて、原稿サイズ登録切換モードに係る動作を実行させる第４の制御手段としての機能を有する。
【０１０１】
また、ＣＰＵ８１Ｂは、原稿サイズの登録名称を設定するために、第１の実施形態と同様の各種キーとディスプレイ部１２２との組み合わせからなるサイズ登録名称設定手段からの信号に基づいて、サイズ登録名称モードに係る動作を実行させる制御手段としての機能を有する。
また、ＣＰＵ８１Ｂは、原稿サイズの登録は、画像読取手段上にセットされた原稿を読み込むことにより、画像イメージ、または文字情報として名称設定可能とする制御手段としての機能を有する。
ＣＰＵ８１Ｂは、前記各キーで生成された信号に基づいて、図８ないし図１６に示すディスプレイ部１２２の画面表示を切り替えるように図示しないＬＣＤ駆動回路を制御する機能も有している。
【０１０２】
第３の実施形態における操作パネル１００の操作例および動作は、第１の実施形態のそれから容易に実施できるので、重複説明を避けるためこれ以上の説明を省略する。第３の実施形態によれば、第１の実施形態における利点から「用紙サイズ、用紙」等に係る利点を除いた利点がある。
【産業上の利用可能性】
【０１０３】
本発明は、前記実施形態等で例示した印刷装置の一例としての孔版印刷装置１に限らず、例えば特許第２７９０９６３号公報（特開平７−１７０１３号公報）に示されているような版胴（印刷ドラム）の外側からインキを供給する構成の印刷装置等にも適用可能である。この他、オフセット印刷機等を含む印刷装置、例えば前記特許文献１や２等を含む複写装置、プリンタ等の画像形成装置にも適用可能である。
【図面の簡単な説明】
【０１０４】
【図１】本発明の第１の実施形態を示す孔版印刷装置全体の概略的な正面図である。
【図２】前記実施形態の給紙台部の要部構成を示す斜視図である。
【図３】前記実施形態の給紙台部の要部構成を示す分解斜視図である。
【図４】図３の給紙台部を構成する左ラックの平面図である。
【図５】図４の左ラックおよび位置検知基板の構成を示す側面図である。
【図６】前記実施形態に用いられる操作パネルの概略的な平面図である。
【図７】第１ないし第３の実施形態の要部の制御構成を示すブロック図である。
【図８】操作パネルのディスプレイ部の初期画面表示状態を示す平面図である。
【図９】操作パネルのディスプレイ部の画面表示の推移状態を示す平面図である。
【図１０】操作パネルのディスプレイ部の画面表示の推移状態を示す平面図である。
【図１１】操作パネルのディスプレイ部の画面表示の推移状態を示す平面図である。
【図１２】操作パネルのディスプレイ部の画面表示の推移状態を示す平面図である。
【図１３】操作パネルのディスプレイ部の画面表示の推移状態を示す平面図である。
【図１４】操作パネルのディスプレイ部の画面表示の推移状態を示す平面図である。
【図１５】操作パネルのディスプレイ部の画面表示の推移状態を示す平面図である。
【図１６】操作パネルのディスプレイ部の画面表示の推移状態を示す平面図である。
【符号の説明】
【０１０５】
１  孔版印刷装置（印刷装置の一例）
２  画像読取部
３  製版部
４  排版部
５  給紙部
６  印刷部
７  排紙部
８  印刷ドラム（版胴）
１０  給紙台部
５０  給紙トレイ（給紙台）
５１  サイドフェンス（位置決め手段）
５８  位置検知基板（検知手段）
７３  原稿
７４  コンタクトガラス（画像読取手段）
７６  スキャナ部（画像読取手段）
８０，８０Ａ，８０Ｂ  制御装置（制御手段）
８１，８１Ａ，８１Ｂ  ＣＰＵ（制御手段を構成）
８３，８３Ａ，８３Ｂ  ＲＡＭ
１００  操作パネル
Ｍ  マスタ（版）
Ｐ  用紙（印刷用紙、シート状記録媒体）
Ｘ  用紙搬送方向
Ｙ  用紙幅方向
【図１】
2006160405.tif 000003
【図２】
2006160405.tif 000004
【図３】
2006160405.tif 000005
【図４】
2006160405.tif 000006
【図５】
2006160405.tif 000007
【図６】
2006160405.tif 000008
【図７】
2006160405.tif 000009
【図８】
2006160405.tif 000010
【図９】
2006160405.tif 000011
【図１０】
2006160405.tif 000012
【図１１】
2006160405.tif 000013
【図１２】
2006160405.tif 000014
【図１３】
2006160405.tif 000015
【図１４】
2006160405.tif 000016
【図１５】
2006160405.tif 000017
【図１６】
2006160405.tif 000018